(57)【要約】【課題】締付け後に常にほぼ一定の軸力が得られるように図ったシリンダヘッドボルトの締結構造を提供する。【解決手段】シリンダヘッド１に挿通したシリンダヘッドボルト８を、シリンダ３およびクランクケース４からなるエンジンケース２に螺合させることにより、シリンダヘッド１をエンジンケース４に締結する構造であって、シリンダヘッドボルト８の頭部８０に設けられた回転操作部８ａとシリンダヘッド１の上面との間に、平ワッシャ１１と、その上に重ねた軸方向にばね力を発現するばね部材１０とが配置されている。シリンダヘッドボルト８の回転操作部８ａとばね部材１０との摩擦抵抗が、ばね部材１０と平ワッシャ１１との摩擦抵抗および平ワッシャ１１とシリンダヘッド１上の座面１ｂとの摩擦抵抗よりも小さく設定されている。【選択図】図２
2015042887.tif 000002
【特許請求の範囲】
【請求項１】
シリンダヘッドに挿通したシリンダヘッドボルトを、シリンダおよびクランクケースからなるエンジンケースに螺合させることにより、前記シリンダヘッドを前記エンジンケースに締結する構造であって、
前記シリンダヘッドボルトの頭部に設けられた回転操作部と前記シリンダヘッドの上面との間に、平ワッシャと、その上に重ねた軸方向にばね力を発現するばね部材とが配置されて、前記シリンダヘッドボルトの前記回転操作部と前記ばね部材との摩擦抵抗が、前記ばね部材と前記平ワッシャとの摩擦抵抗および前記平ワッシャと前記シリンダヘッド上の座面との摩擦抵抗よりも小さく設定されているシリンダヘッドボルトの締結構造。
【請求項２】
請求項１に記載の締結構造において、前記ばね部材は皿ばねであり、締結完了時に前記皿ばねの外径が回転操作部の外径よりも大きく設定されているシリンダヘッドボルトの締結構造。
【請求項３】
請求項１または２に記載の締結構造であって、前記シリンダヘッドボルトは、中間の円柱部が、前記回転操作部が設けられた上端部および雄ねじが設けられた下端部よりも小さい外径を有するテンションボルトであるシリンダヘッドボルトの締結構造。
【請求項４】
請求項１から３のいずれか一項に記載の締結構造であって、前記シリンダヘッドボルトは前記シリンダを貫通して前記クランクケースに螺合されているシリンダヘッドボルトの締結構造。
【請求項５】
請求項１または２に記載の締結構造であって、前記シリンダヘッドボルトは前記回転操作部を形成する頭部が一体形成されているシリンダヘッドボルトの締結構造。
【請求項６】
請求項５に記載の締結構造であって、前記シリンダヘッドボルトは、頭部の下部に円板状のつばを有する座付きボルトであり、前記つばの外径が、自由状態の前記ばね部材の外径よりも大きいシリンダヘッドボルトの締結構造。
【請求項７】
請求項１から６のいずれか一項に記載の締結構造であって、前記平ワッシャは鉄系材料に銅めっきが施されたものであるシリンダヘッドボルトの締結構造。
【発明の詳細な説明】
【技術分野】
【０００１】
本発明は、シリンダヘッドに挿通したシリンダヘッドボルトを、エンジンケースを構成するシリンダおよびクランクケースの何れかに螺合することにより、シリンダヘッドをエンジンケースに締結するシリンダヘッドボルトの締結構造に関するものである。
【背景技術】
【０００２】
例えば、自動二輪車のエンジンの組立工程では、図１に示すように、シリンダヘッド１をシリンダ３およびクランクケース４からなるエンジンケース２に連結するに際して、比較的長いシリンダヘッドボルト８を、シリンダヘッド１の挿通孔１ａおよびシリンダ３の挿通孔３ａに挿通させてクランクケース４のねじ孔４ａにねじ込むことにより、シリンダヘッド１とクランクケース４とをこれらの間にシリンダ３を挟み込んだ配置で互いに連結している（特許文献１参照）。
【０００３】
このような締結構造に一般的に用いられるシリンダヘッドボルト８として、従来構造の図５に示すように、回転操作部８ａが設けられた上端部の外径Ｒ１および雄ねじ8ｃ（図１）が設けられた下端部の外径よりも中間の円柱部８ｂの外径Ｒ2が小さいテンションボルトが用いられる。このテンションボルトからなるシリンダヘッドボルト８は、締結時に外径の小さい中間の円柱部８ｂに軸方向の大きな伸びが発生して、その復元力による大きな引張り（テンション）に伴い軸方向に発生する軸力によって、シリンダヘッドをエンジンケース２（図１）に固定している。このシリンダヘッドボルト８の首下には平ワッシャ９が介在される。
【０００４】
シリンダヘッドボルト８の軸力をエンジンの組立工程で逐一測定するのは作業時間の増加を招くから、シリンダヘッドボルト８締め付けるトルクレンチで直接測定できる締付けトルクを規定範囲内に納めることにより、シリンダヘッドボルト８軸力の管理を行っている。
【先行技術文献】
【特許文献】
【０００５】
【特許文献１】特許第３３０５６１５号
【発明の概要】
【発明が解決しようとする課題】
【０００６】
しかしながら、上記締結構造では、シリンダヘッドボルト８の軸力のばらつきが大きい。その原因について発明者らが鋭意検討および実験を行った結果、つぎの事実が判明した。すなわち、テンションボルトからなるシリンダヘッドボルト８の従来の締結構造では、当該ボルト８の締付け作業を行う際に、（１）平ワッシャ９がシリンダヘッド１の座面上を滑りながらボルト８と平ワッシャ９とが供回りして、滑り面が平ワッシャ９の下面に生じる場合と、（２）ボルト８が平ワッシャ９に対して滑りながら回って、滑り面が平ワッシャ９の上面に生じる場合と、（３）滑り面が上方から下方へ、或いは下方から上方へ変化する場合とがあり、これら（１）〜（３）がランダムに発生する。このように滑り面が一定しないことから、シリンダヘッドボルト８の締付けトルクが規定範囲内であっても、軸力が、滑り面が一定となる場合に比べて、基準値から外れた値となり易く、軸力のばらつきが大きくなってシリンダヘッドボルト８に緩みが生じることもある。
【０００７】
軸力がばらつく理由は、シリンダヘッド１がアルミニウムを素材とし、シリンダヘッドボルト８および平ワッシャ９が鉄を素材として表面処理が施されていることから、摩擦面の材質および表面粗さが異なる結果、摩擦面の表面状態が異なることにより、摩擦係数が異なるためである。
【０００８】
本発明は、上記課題に鑑みてなされたもので、締付け後に常にほぼ一定の軸力が得られるように図ったシリンダヘッドボルトの締結構造を提供することを目的とする。
【課題を解決するための手段】
【０００９】
上記目的を達成するために、本発明に係るシリンダヘッドボルトの締結構造は、シリンダヘッドに挿通したシリンダヘッドボルトを、シリンダおよびクランクケースからなるエンジンケースに螺合させることにより、前記シリンダヘッドを前記エンジンケースに締結する構造であって、前記シリンダヘッドボルトの頭部に設けられた回転操作部と前記シリンダヘッドの上面との間に、平ワッシャと、その上に重ねた軸方向にばね力を発現するばね部材とが配置されて、前記シリンダヘッドボルトの前記回転操作部と前記ばね部材との摩擦抵抗が、前記ばね部材と前記平ワッシャとの摩擦抵抗および前記平ワッシャと前記シリンダヘッド上の座面との摩擦抵抗よりも小さくなるように、それぞれの接触面積が設定されている。ここで、摩擦抵抗とは、静摩擦時の抵抗力をいい、接触面積、材質、表面粗さなどにより決まるが、そのうち、接触面積が支配的である。
【００１０】
このシリンダヘッドボルトの締結構造によれば、シリンダヘッドボルトの締付けを行った場合、ばね部材と平ワッシャとの間および平ワッシャとシリンダヘッド上の座面との間は、摩擦抵抗が大きいことから滑りが生じ難くなり、滑りは、摩擦抵抗が小さいシリンダヘッドボルトの回転操作部とばね部材との間で生じ易くなる。このように滑りが生じる箇所が特定されることにより、締付け後のシリンダヘッドボルトに生じる軸力のばらつきが小さくなる。なお、ボルトにばね部材を介在することは従来からも行われているが、従来ではボルトの緩み止めの目的でばね部材を用いているのに対し、本発明では一定の軸力を得る目的でばね部材を用いている。
【００１１】
本発明において、前記ばね部材として皿ばねを用いることが好ましい。皿ばねは、シリンダヘッドボルトの締付け開始前の自由状態において、シリンダヘッドボルトの座面に対して円形で線接触することから摩擦抵抗が小さい。また、締結完了時に前記皿ばねの外径が回転操作部の外径よりも大きく設定されているので、回転操作部と皿ばねとの間の接触面積が小さくなって両者間の摩擦抵抗が小さくなる。したがって、回転操作部と皿ばねとの間で滑りが生じ易い。さらに、皿ばねは、シリンダヘッドボルトの座面および平ワッシャに接触したときに損傷を与えるような尖がった部位がなく、シリンダヘッドボルトの締付けによる押圧力が加えられたときに偏平状態に円滑に変形する利点がある。
【００１２】
本発明において、前記シリンダヘッドボルトは、中間の円柱部が、前記回転操作部が設けられた上端部および雄ねじが設けられた下端部よりも小さい外径を有するテンションボルトである。このテンションボルトは、シリンダヘッドボルトの締結時に外径の小さい中間の円柱部に軸方向の大きな伸びが発生して、その復元力による大きなテンションに伴い軸方向に発生する軸力によって、シリンダヘッドとエンジンケースとを互いに強固に連結する。
【００１３】
本発明において、前記シリンダヘッドボルトは前記シリンダを貫通して前記クランクケースに螺合されている構成とすることができる。エンジンケースを構成するシリンダとクランクケースとが別体に設けられたエンジンの場合、シリンダヘッドボルトをクランクケースに螺合することにより、シリンダヘッドとクランクケースとをこれらの間にシリンダを挟み込んだ配置で互いに連結できる。
【００１４】
本発明において、前記シリンダヘッドボルトは前記回転操作部を形成する頭部が一体形成されている。これにより、シリンダヘッドボルトとしてスタッドボルトを用いなくても頭部を一体に有するシリンダヘッドボルトによってシリンダヘッドをエンジンケースに螺合することができる。
【００１５】
本発明において、頭部が一体形成されたシリンダヘッドボルトを用いる場合、このシリンダヘッドボルトとして、頭部の下部に円板状のつばを有する座付きボルトであり、前記つばの外径が、自由状態の前記ばね部材の外径よりも大きいものであることが好ましい。これにより、回転操作部を形成する頭部を介してシリンダヘッドボルトの締付けを行った際に、ばね部材の外径よりも大きい外径を有するシリンダヘッドボルトの円板状のつばによる押圧力によってばね部材を円滑に偏平形状に変形させることができる。
【００１６】
本発明において、前記平ワッシャは鉄系材料に銅めっきが施されたものであることが好ましい。これにより、平ワッシャは、これに施された柔らかい銅めっきにばね部材が食い付く状態となってばね部材に対し滑り難くなり、滑る箇所を、シリンダヘッドボルトの回転操作部とばね部材との間に一層確実に設定することができる。
【発明の効果】
【００１７】
本発明によれば、シリンダヘッドボルトの締付けを行った場合、ばね部材と平ワッシャとの間および平ワッシャとシリンダヘッド上の座面との間は、摩擦抵抗が大きいことから滑りが生じ難くなり、滑りは、摩擦抵抗が小さいシリンダヘッドボルトの回転操作部とばね部材との間に生じ易くなる。このように滑りが生じる箇所が特定されることにより、締付け後のシリンダヘッドボルトに生じる軸力のばらつきが小さくなる。
【図面の簡単な説明】
【００１８】
【図１】本発明に係るシリンダヘッドボルトの締結構造が適用されるエンジンを示す一部破断した正面図である。
【図２】本発明の第１実施形態に係るシリンダヘッドボルトの締結構造の要部を示し、（ａ）は締付け前の断面図、（ｂ）は締結後の断面図である。
【図３】本発明の第２実施形態に係るシリンダヘッドボルトの締結構造の要部を示し、（ａ）は締付け前の断面図、（ｂ）は締結後の断面図である。
【図４】同上の第１および第２の両実施形態の実験結果によるシリンダヘッドボルトの軸力のばらつきを示す特性図である。
【図５】従来のシリンダヘッドボルトの締結構造を示す縦断面図である。
【発明を実施するための形態】
【００１９】
以下、本発明の好ましい実施形態について図面を参照しながら詳細に説明する。
図１に示す第１実施形態では、シリンダヘッドボルト８として、従来から用いているものをそのまま採用してシリンダヘッド１およびシリンダ３をクランクケース４に連結している。図２（ａ）に示すように、このシリンダヘッドボルト８の回転操作部８ａを除いた軸状部は、上述のように中間の円柱部８ｂが、回転操作部８ａが設けられた上端部の外径Ｒ１および雄ねじ８ｃ（図１）が設けられた下端部の外径よりも小さい外径Ｒ２を有するテンションボルトである。なお、シリンダヘッドボルト８の軸状部の下端部に形成された雄ねじ８ｃの外径は、図示していないが、上端部の外径Ｒ１とほぼ同等である。
【００２０】
また、このシリンダヘッドボルト８は、いわゆる座付きボルトであり、軸状部の上端部に一体形成された頭部８０およびその下部の円板状のつば８２を有する。頭部８０は、回転操作用のトルクレンチが嵌入される六角穴８４を有する。これら頭部８０およびつば８２が回転操作部８ａを形成する。なお、平ワッシャ１１としては、従来から用いている鉄系材料のものの表面に銅めっきが施されたものが用いられている。
【００２１】
この締結構造では、シリンダヘッドボルト８の頭部８０の下部に設けられたつば８２とシリンダヘッドボルト８の上面との間に、平ワッシャ１１と、この平ワッシャ１１の上に重ねた皿ばね１０とが配置されている。皿ばね１０は、シリンダヘッドボルト８の締結時に偏平形状に変形されて、その復元力により軸方向にばね力を発現するばね部材の一種である。シリンダヘッドボルト８のつば８２の外径Ｒ４、すなわち回転操作部８ａの外径は、シリンダヘッドボルト８の締付け前の自由状態の皿ばね１０の外径Ｒ５よりも僅かに大きく、かつ平ワッシャ１１の外形Ｒ３よりも小さく設定されている。
【００２２】
図１のシリンダヘッド１をエンジンケース２のクランクケース４に締結するに際して、シリンダヘッドボルト８の軸状部をシリンダヘッド１の挿通孔１ａおよびシリンダ３の挿通孔３ａに挿通したのちに、軸状部の雄ねじ８ｃがクランクケース４のねじ孔４ａにねじ込まれる。この際、シリンダヘッドボルト８の回転操作部８ａに嵌合したトルクレンチを回転操作することにより、シリンダヘッドボルト８をねじ込む。シリンダヘッドボルト８のねじ込みトルクの大きさはトルクレンチに表示される。このねじ込みトルクは軸力に比例する。
【００２３】
シリンダヘッドボルト８の締付けが行われてシリンダヘッドボルト８に軸力が発生する締結完了時には、図２（ｂ）に示すように、皿ばね１０が上下から加圧力を受けて偏平形状に変形されて、この皿ばね１０の外径Ｒ６がシリンダヘッドボルト８のつば８２の外径Ｒ４よりも大きくなる。この偏平形状の皿ばね１０の外径Ｒ６よりも平ワッシャ１１の外径Ｒ３の方がさらに大きい。その結果、つば８２と皿ばね１０との接触面積Ｓ１よりも、皿ばね１０と平ワッシャ１１との接触面積Ｓ２が大きくなり、平ワッシャ１１とシリンダヘッド１の上面の座面１ｂとの接触面積Ｓ３はさらに大きい。つまり、Ｓ１＜Ｓ２＜Ｓ３の関係となる。これに伴って皿ばね１０と平ワッシャ１１との間の摩擦抵抗および平ワッシャ１１とシリンダヘッド１との間の摩擦抵抗も大きくなって滑りが生じ難くなる。なお、Ｓ２をＳ３よりも大きくして、Ｓ１＜Ｓ３＜Ｓ２の関係としてもよい。摩擦抵抗は、前述のとおり、接触面積のほか、材質や表面粗さにも影響されるので、これらの影響も含めて、つば８２−皿ばね１０−平ワッシャ１１間の摩擦抵抗の大小を設定する。
【００２４】
滑りは、接触面積が小さいのに伴って摩擦抵抗も小さいシリンダヘッドボルト８の回転操作部８ａと皿ばね１０との間に生じ易くなる。このように滑りが生じる箇所が特定されることにより、締付け後のシリンダヘッドボルト８に生じる軸力のばらつきが小さくなる。なお、ボルトに皿ばね１０のようなばね部材を介在することは従来からも行われているが、従来ではボルトの緩み止めの目的でばね部材を用いているのに対し、本発明では一定の軸力を得る目的でばね部材を用いている。
【００２５】
この実施形態では、ばね部材として皿ばね１０を用いており、皿ばね１０は、シリンダヘッドボルト８の締付け前の自由状態において、シリンダヘッドボルト８の座面であるつば８２の下面に対して円形の内周部で線接触することから接触面積が小さく、それに伴って摩擦抵抗も小さくなるので、締付け作業時のシリンダヘッドボルト８が滑りながら回転し易い。また、皿ばね１０は、シリンダヘッドボルト８の座面および平ワッシャ１１に接触したときに損傷を与えるような尖がった部位がなく、シリンダヘッドボルト８の締付けによる押圧力が加えられたときに上下から押し潰されて、偏平形状に円滑に変形する利点がある。
【００２６】
シリンダヘッドボルト８として、軸状部の中間の円柱部８ｂが、回転操作部８ａが設けられた軸状部の上端部の外径Ｒ１および雄ねじ８ｃ（図１）が設けられた下端部の外径よりも小さい外径Ｒ２を有するテンションボルトを用いており，このテンションボルトは、シリンダヘッドボルト８の締結時に外径Ｒ２の小さい中間の円柱部８ｂに軸方向の大きな伸びが発生して、その復元力による大きなテンションに伴い軸方向に発生する軸力によって、図１のシリンダヘッド１とエンジンケース２とを互いに強固に連結する。
【００２７】
この実施形態では、エンジンケース２を構成するシリンダ３とクランクケース４とが別体となったエンジンに適用する場合を例示してあり、シリンダヘッドボルト８を、シリンダヘッド１およびシリンダ３の各々の挿通孔１ａ、３ａに貫通させてクランクケース４のねじ孔４ａに螺合することにより、シリンダヘッド１とクランクケース４とをこれらの間にシリンダ３を挟み込んだ配置で互いに連結できる。なお、エンジンケース２がシリンダ３とクランクケース４とが一体化されている場合には、シリンダヘッド１の挿通孔に挿通したシリンダヘッドボルト８がシリンダ３に設けられたねじ孔にねじ込まれて、シリンダヘッド１がエンジンケース２に締結される。
【００２８】
シリンダヘッドボルト８として、回転操作部８ａを形成する頭部８０が軸状部の上端に一体形成されたものを用いているので、スタッドボルトを用いなくてもシリンダヘッド１をエンジンケース２に締結することができる。また、このシリンダヘッドボルト８は、頭部８０が軸状部の上端に一体形成されているのに加えて、頭部８０の下部に円板状のつば８２を有する座付きボルトであり、このつば８２の外径Ｒ４が、自由状態の皿ばね１０の外径Ｒ５よりも大きく設定されている。これにより、頭部８０を含む回転操作部８ａを介してシリンダヘッドボルト８の締付けを行った際に、皿ばね１０の外径Ｒ５よりも大きい外径Ｒ４を有するシリンダヘッドボルト８の円板状のつば８２による押圧力によって、皿ばね１０を偏平形状に円滑に変形させることができる。
【００２９】
また、平ワッシャ１１として、従来から用いている鉄系材料のものの表面に銅めっきが施されたものを用いており、この平ワッシャ１１は、これに施された柔らかい銅めっきに皿ばね１０が食い付く状態となって皿ばね１０に対し滑り難くなり、滑る箇所を、シリンダヘッドボルト８の回転操作部８ａと皿ばね１０との間に一層確実に設定することができる。
【００３０】
図３（ａ）、（ｂ）はそれぞれ本発明の第２実施形態に係るシリンダヘッドボルトの締結構造における締付け前および締結後の縦断面図であり、同図において、図２と同一若しくは相当するものに同一の符号を付して、重複する説明を省略する。この実施形態の締結構造が図２の第１実施形態のものと相違するのは、ばね部材として、第１実施形態の皿ばね１０に代えて、プリングワッシャ１２を用いた構成のみである。
【００３１】
この締結構造では、シリンダヘッドボルト８の頭部８０の下部に設けられたつば８２とシリンダヘッドボルト８の上面との間に、平ワッシャ１１と、この平ワッシャ１１の上に重ねたスプリングワッシャ１２とが配置されている。スプリングワッシャ１２は、シリンダヘッドボルト８の締結時に偏平形状に変形されて、その復元力により軸方向にばね力を発現するばね部材１０の一種である。図３（ａ）に示すように、シリンダヘッドボルト８のつば８２の外径Ｒ４は、シリンダヘッドボルト８の締付け前の自由状態のスプリングワッシャ１２の外径Ｒ７よりも僅かに大きく、かつ平ワッシャ１１の外形Ｒ３よりも小さく設定されている。  
【００３２】
したがって、この実施形態の締結構造においても第１実施形態で説明したとほぼ同様の効果を得ることができる。すなわち、シリンダヘッドボルト８の締付けが行われてシリンダヘッドボルト８に軸力が発生する締結完了時には、図３（ｂ）に示すように、スプリングワッシャ１２が上下から加圧力を受けて偏平な形状に変形されて、このスプリングワッシャ１２の外径Ｒ８がシリンダヘッドボルト８のつば８２の外径Ｒ４よりも大きくなる。その結果、スプリングワッシャ１２と平ワッシャ１１との接触面積が大きくなり、これに伴ってスプリングワッシャ１２と平ワッシャ１１との間の摩擦抵抗も大きくなって滑りが生じ難くなる。滑りは、接触面積が小さいのに伴って摩擦抵抗も小さいシリンダヘッドボルト８の回転操作部８ａとスプリングワッシャ１２との間に生じ易くなる。
【００３３】
このように滑りが生じる箇所が特定されることにより、締付け後のシリンダヘッドボルト８に生じる軸力のばらつきが少なくなる。なお、この実施形態においても、スプリングワッシャ１２は、従来のようにボルトの緩み止めを目的として用いられるのとは異なり、ボルトに発生する軸力をばらつきなく一定にするために用いている。
【００３４】
図４は、第１および第２の両実施形態の実験結果によるシリンダヘッドボルトの軸力のばらつきを示す特性図であり、Ａは第１実施形態の実験結果を示し、Ｂは第２実施形態の実験結果を示している。なお、Ｃは比較のために示した図５の従来の締結構造の実験結果による特性曲線である。黒丸は平均値を示す。シリンダヘッドボルト８は全て一定のトルクで締めつけた。同図から明らかなように、第１実施形態の締結構造ではシリンダヘッドボルト８に発生する軸力のばらつきが従来に比較して大幅に低減することが確認できた。また、第２実施形態の締結構造では、第１実施形態の締結構造よりもシリンダヘッドボルト８に発生する軸力のばらつきが若干多いが、従来の締結構造と比較すれば、シリンダヘッドボルト８に発生する軸力のばらつきが相当に低減している。
【００３５】
本発明はスタッドボルトの締結構造にも適用できる。その場合、スタッドボルトの上端部に螺合するナットが回転操作部を形成する。
【００３６】
なお、本発明は上述した実施形態に限らず、本発明の要旨を逸脱しない範囲内で、種々の追加、変更または削除が可能であり、そのようなものも本発明の範囲内に含まれる。
【符号の説明】
【００３７】
１  シリンダヘッド
１ｂ  座面
２  エンジンケース
３  シリンダ
４  クランクケース
８  シリンダヘッドボルト
８ａ  回転操作部
８ｂ  円柱部
８ｃ  雄ねじ
８０  頭部
８２  つば
１０  皿ばね（ばね部材）
１１  平ワッシャ
１２  スプリングワッシャ（ばね部材）
【図１】
2015042887.tif 000003
【図２】
2015042887.tif 000004
【図３】
2015042887.tif 000005
【図４】
2015042887.tif 000006
【図５】
2015042887.tif 000007